【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
１つまたは複数の処理ユニットと、
前記１つまたは複数の処理ユニットのうちの少なくとも１つによってそれぞれが実行される複数のコンポーネントと、
を備えるシステムであって、
前記複数のコンポーネントは、
コンピューター・アプリケーションの構成機能と相関付けられた１組のメタデーターにアクセスするように構成された参照コンポーネントであって、前記構成機能は、前記アプリケーションに関連するユーザー・カスタム化可能設定値を含む、参照コンポーネントと、
前記構成機能のそれぞれと関連付けられている前記１組のメタデーターのうちの各部分集合を区別するように構成されたインデックス化コンポーネントと、
前記アプリケーションのユーザーによって入力された１組の検索データーを受け取り、前記１組の検索データーを前記１組のメタデーターの前記部分集合と比較し、１つの機能によって定義された前記検索データーに関連する条件を満たすメタデーターの一致部分集合を特定するように構成された検索コンポーネントと、
を含む、
システム。
【請求項２】
前記複数のコンポーネントは、更に、前記１組の検索データーを受け取ることに応答して、前記メタデーターの一致部分集合と相関付けられた構成機能を前記コンピューター・アプリケーションによる表示のために戻すように構成された出力コンポーネントを含む、請求項１に記載のシステム。
【請求項３】
前記出力コンポーネントは、更に、実行可能リンクを戻すように構成され、前記実行可能リンクは、当該実行可能リンクの選択に応答して、前記コンピューター・アプリケーション内の前記構成機能を初期化するように構成される、請求項２に記載のシステム。
【請求項４】
前記検索コンポーネントは、更に、前記コンピューター・アプリケーションによって表示されて前記検索データーの入力を受け取るように構成された検索フィールドを含み、前記検索フィールドは、前記コンピューター・アプリケーションのツールバー・メニュー内に表示されるように構成されるか、またはキーボード入力に応答してポップアップ検索ウィンドウとして表示されるように構成される、請求項１に記載のシステム。
【請求項５】
前記コンピューター・アプリケーションと第２コンピューター・アプリケーションについての構成機能および関連するメタデーターを格納するように構成されたマルチアプリケーション構成データーベースを更に備え、
前記マルチアプリケーション構成データーベースは、更に、前記コンピューター・アプリケーションの構成機能と、類似性機能によって定義された条件を満たすメタデーターの各部分集合を有する前記第２コンピューター・アプリケーションの構成機能とを相互に相関付けるように構成される、
請求項１に記載のシステム。
【請求項６】
前記検索コンポーネントが前記１組の検索データーを受け取ることに応答して前記マルチアプリケーション構成データーベースにアクセスし、前記１組の検索データーに関連するメタデーターを有する前記第２コンピューター・アプリケーションの構成機能を前記検索コンポーネントに戻すように構成された互換性コンポーネントを更に含む、請求項５に記載のシステム。
【請求項７】
前記複数のコンポーネントは、更に、
前記メタデーターの一致部分集合と関連付けられた構成機能の利用を記述するように構成されたオーディオ、ビデオ、画像、またはマルチメディア・コンテンツを実行するように構成されたチュートリアル・コンポーネントと、
前記１組のメタデーター、または前記１組のメタデーターの各部分集合のうちの１つまたは複数を、ユーザー・インターフェースの入力に応答して受け取られたユーザー・メタデーターに添付するように構成されたユーザー・ライブラリー・コンポーネントと、
を含む、請求項１に記載のシステム。
【請求項８】
前記１組のメタデーターは、エンド・ユーザー・カテゴリーおよび開発者カテゴリーを含むコンピューター・アプリケーション・ユーザーの異なる分類に対して類別され、更に、前記検索コンポーネントは、前記１組の検索データーと併せてユーザーのカテゴリーを受け取り、前記ユーザーのカテゴリーと一致しないメタデーターを前記比較から除外するように構成される、請求項１に記載のシステム。
【請求項９】
前記複数のコンポーネントは、更に、前記検索フィールドに現在入力されているテキストに応答して提案検索結果を戻すように構成され、前記現在入力されているテキストに対するテキスト変更を受けて前記提案検索結果を更新するように構成された予測テキスト・コンポーネントを含み、前記提案検索結果は、検索データーの以前の組からコンパイルされたデーターから、または、ユーザー添付メタデーターもしくは前記１組のメタデーターに関する相関条件を満たす前記現在入力されているテキストから戻される、請求項１に記載のシステム。
【請求項１０】
前記予測テキスト・コンポーネントは、前記提案検索結果を画像コンテンツ、オーディオ・コンテンツ、ビデオ・コンテンツ、またはマルチメディア・コンテンツの形態で戻す、請求項９に記載のシステム。
【請求項１１】
前記複数のコンポーネントは、更に、
前記コンピューター・アプリケーションのユーザー使用に関するユーザー構成機能活動を追跡し、ユーザー構成機能活動を少なくとも時間とコンピューター・アプリケーションの関数として記録するように構成されたユーザー履歴コンポーネントと、
記録されたユーザー構成機能活動を分析し、前記分析に応答して前記構成機能を重み付けし、前記重みによって前記条件または前記時間とコンピューター・アプリケーションの関数を修正するように構成された機械学習コンポーネントと、
を含む、請求項１に記載のシステム。
【請求項１２】
アプリケーションの構成機能へのアクセスを提供する方法であって、
前記アプリケーションのそれぞれの構成機能にメタデーターの各組を割り当てるステップであって、前記メタデーターの各組は、前記それぞれの構成機能のそれぞれの名称、使用、または用途を記述する、ステップと、
前記構成機能および前記割り当てられたメタデーターの各組をインデックス化するステップと、
前記アプリケーションのユーザーによって入力された構成機能の検索クエリーを受け取るステップと、
前記検索クエリーをメタデーターの各組と参照し、前記検索クエリーに関するデーター照合機能によって定義された条件を満たすメタデーターの各組の１つまたは複数を特定するステップと、
前記条件を満たすメタデーターの各組に割り当てられた１つまたは複数の構成機能を戻すステップと、
を含む方法。
【請求項１３】
前記それぞれの構成機能を１組のユーザー別カテゴリーに分類するステップと、前記構成機能の検索クエリーを前記１組のユーザー別カテゴリーのうちの少なくとも１つと照合するステップと、相関機能によって定義された前記１組のユーザー別カテゴリーのうちの前記少なくとも１つとの相関を含むように前記条件を修正するステップと、を更に含む、請求項１２に記載の方法。
【請求項１４】
前記アプリケーション内におけるユーザー活動を追跡するステップを更に含み、前記構成機能の検索クエリーを前記１組のユーザー別カテゴリーのうちの前記少なくとも１つと照合する前記ステップは、前記ユーザー活動を前記１組のユーザー別カテゴリーと相関付けるステップと、活動照合機能によって定義された条件を満たすユーザー別カテゴリーを特定するステップと、を含む、請求項１３に記載の方法。
【請求項１５】
ユーザー選択構成機能の使用について記述する、または、前記ユーザー選択構成機能を実行することに連携した前記アプリケーションのユーザー・インターフェース内における前記ユーザー選択構成機能のユーザー・アクティブ化について詳述する、画像、ビデオ、オーディオ、もしくはマルチメディア・コンテンツを実行するチュートリアル機能をアクティブ化するステップを更に含む、請求項１２に記載の方法。